(57)【特許請求の範囲】
【請求項１】
底台（１０）、支持台（２０）、掛合体（３０）及び押圧腕（４０）から構成されたホッチキスの構造において、
該支持台（２０）は、針（２５）を収容し、該底台（１０）の底フレーム（１１）の後端に設けられた第一通孔（１１１）に後端が枢設され、中央に針レール（２２）を具え、該針レール（２２）内に該針（２５）を前方に押圧する伸縮バネ（２３）及び針押出台（２４）が設けられ、該針レール（２２）前端の底部には針出口（２７）が開設され、該底フレーム（１１）上に該支持台（２０）を弾性支持する弾性体（２８）が設置され、
該掛合体（３０）は、前端に針押出片（３３）が結合され、該支持台（２０）に嵌合され、該底台（１０）の該底フレーム（１１）の前端に設けられた第三通孔（１１３）に中段部分が枢接され、該掛合体（３０）後方に、後端に外側に突出する凸部（３５）を有する支持板（３２）が延伸形成され、
該押圧腕（４０）は該支持台（２０）に嵌合され、該底台（１０）の該底フレーム（１１）の略中央に設けられた第二通孔（１１２）に枢設され、該押圧腕（４０）の後方に結合溝（４５）を具えた結合板（４３）が延伸形成され、該掛合体（３０）の該凸部（３５）が該結合溝（４５）内に摺動可能に組み合わされ、
該底フレーム（１１）の第二通孔（１１２）までの距離（Ｗ）及び、該掛合体（３０）の該底フレーム（１１）の該第三通孔（１１３）との枢接位置から該掛合体（３０）の該凸部（３５）までの距離（Ｙ）の乗積（Ｗ×Ｙ）が、該押圧腕（４０）と該底フレーム（１１）の第二通孔（１１２）との枢設位置から該掛合体（３０）の該凸部（３５）までの距離（Ｘ）と、該掛合体（３０）と該底フレーム（１１）の第三通孔（１１３）との枢設位置から該掛合体（３０）の該針押出片（３３）までの距離（Ｚ）の乗積（Ｘ×Ｚ）より大きく、該押圧腕（４０）が押圧されるとき、該押圧腕（４０）が該掛合体（３０）を駆動し回転させ、該掛合体（３０）が該針押出片（３３）で該針（２５）を押し出すことを特徴とする、ホッチキスの構造。
【請求項２】
請求項１記載のホッチキスの構造において、前記底台（１０）は、長方形平板状の台体で、その後端に上向き開口のＵ形の底フレームが設置され、該底フレームの両側壁の開口端縁の後端に第一通孔（１１１）が、略中央に第二通孔（１１２）が、前端に第三通孔（１１３）が順に設置され、前端には針受板が結合されたことを特徴とするホッチキスの構造。
【請求項３】
請求項１記載のホッチキスの構造において、前記支持台（２０）は、前端上方に、針押出片（３３）の差込溝（３３１）に摺動可能に係合される掛合凸部（２６）を具えたことを特徴とするホッチキスの構造。
【請求項４】
請求項１記載のホッチキスの構造において、前記掛合体（３０）は、下向き開口を有するＵ形の嵌合押圧部（３１）を具え、該支持台（２０）の上方に位置し、両側板後端より対称に該支持板が延伸され、前端には針押出片（３３）が結合され、該嵌合押圧部（３１）と該支持板（３２）の間の位置に穿孔（３４）を設置し、且つ該支持板（３２）の後端側辺には各々外向きに突出する凸部（３５）を具え、該穿孔（３４）はピンで該底台（１０）の該底フレーム（１１）の第三通孔（１１３）に枢設され、該掛合体（３０）前端と該支持台（２０）前端の間には上端で該掛合体（３０）を弾性支持する弾性体（３７）が設置されたことを特徴とするホッチキスの構造。
【請求項５】
請求項１記載のホッチキスの構造において、前記押圧腕（４０）は、該掛合体（３０）の上方に位置し、それは下向き開口を具えたＵ形の押圧部（４１）を具え、その両側板後端より対称な結合板（４３）が延伸され、該押圧部（４１）両側板後端位置に、それぞれ結合孔（４４）が設置され、且つ該結合板（４３）の後端には結合溝（４５）が形成され、該結合孔（４４）はピン（４６）で該底台（１０）の該底フレーム（１１）の該第二通孔（１１２）に枢設され、且つ該掛合体（３０）の該凸部（３５）が該結合溝（４５）内に摺動可能に結合されることを特徴とする、ホッチキスの構造。
【請求項６】
請求項４もしくは請求項５記載のホッチキスの構造において、前記掛合体（３０）の該穿孔（３４）と該底台（１０）の該底フレーム（１１）の第三通孔（１１３）を枢設するピン（３６）は、その両側が該掛合体（３０）の両側板の穿孔（３４）より外向きに突出し、該押圧腕（４０）二側板の下方に凹部（４２）が形成され、該押圧腕（４０）が押圧された時に、該凹部（４２）が該穿孔（３４）より突出するピン（３６）上で停止することを特徴とするホッチキスの構造。
【発明の詳細な説明】
【技術分野】
【０００１】
本発明は、ホッチキスの構造に関するもので、特に力を余計にかけずに押圧装丁するホッチキスで、押圧腕と掛合体に依る底台の底フレーム上でのモーメント伝達転換により、掛合した掛合体が緩やかで最大の押圧力を発し、針押出片によって支持台内の針を強力に出し、省力押圧と簡易操作を達成する実用的なものである。
【背景技術】
【０００２】
一般に文書を整理する場合、ホッチキスで紙を止め合わせ、文書が散らばらないようにして整理、保存する。
図６に示すのは、公知のホッチキス６０の構造であり、底台６１、支持台６２と押圧腕６３から構成される。この押圧腕６３と支持台６２の一端は底台６１一側面に枢設する。そのうち支持台６２内には定位連接棒６４を差し込んで設置し、一針押出板６５及び一伸縮するバネ６６をその中に設置する。バネ６６の一端は針押出板６５底部の仕切凸で止めることにより、針押出板６５に針を押す押圧力が具わる。また押圧腕６３内に設置した掛合片６３１上には牽引片６８を設置し、且つ牽引片６８の別端と針押出板６５末端の掛着片６５１と相互に掛合し、押圧腕６３で掛合片６３１を連動して起き上がらせた時、この牽引片６８は支持台６２に於いて針押出板６５を後方へ引っ張って滑動する。針６７を支持台６２溝内に置くと、押圧腕６３が枢設回転して下へ押圧し、バネ６６の弾力により針押出板６５が針６７を前に向けて押し、押圧腕６３に力を加えて掛合片６３１前端に設置した針押出片６３２を押して針６７を押し出し、その針６７は底台６１前端の針受板６１１で湾曲結合し、紙を止める。
【発明の開示】
【発明が解決しようとする課題】
【０００３】
ホッチキスの押圧腕が人の手で直接下方向へ押圧される時、その押圧力の大きさが紙の抵抗力より大きい場合に、針が紙に刺さって装丁できるのであるが、人の力に依る押圧装丁は使用者に負担をかけ、便利性に欠く。
【０００４】
本発明は、底台、支持台、掛合体及び押圧腕から構成される。そのうち、支持台は長方形溝状で、底台の底フレームの第一通孔箇所に枢設され、内部には伸縮バネ及び針押出台によって作動する針を具える。掛合体は下向き開口を有するＵ形片体であり、その中段に底台の底フレーム前端の第三通孔に枢設される穿孔が設けられ、該掛合体の後方に、凸部を具えた支持板が延設され、該掛合体の前端には針押出片が結合される。押圧腕は下向き開口を有するＵ形片体とされ、その中段は底台の底フレーム中段の第二通孔に枢設され、押圧腕後端の結合板にはそれぞれ結合溝が設置され、そこに掛合体後端の支持板の凸部が摺動自在に係合されたことを最も主要な特徴とする。
【０００５】
上述の構成により、使用者が押圧腕を押した時、押圧腕は掛合体と支持台を伴って回転する。そのうち、通常の操作で力点とされる押圧腕上の押圧部の前端から底フレームの枢設点までの距離は、その枢設点から掛合体の凸部までの距離より大きく、且つ該掛合体の凸部から該掛合体と該底フレームの枢設点までの距離は、その枢設点から掛合体前端の嵌合押圧部の作用点までの距離より大きい。これらによって、押圧腕は少しの力で掛合体を回転させられ、掛合体前端に緩やかで最大の押圧力を発生させ、針押出片に針を強力に押し出させ、押圧腕を僅かな力で押圧するだけで装丁でき、操作が簡単で楽であり、実用性を具える。
【課題を解決するための手段】
【０００６】
請求項１の発明は、底台（１０）、支持台（２０）、掛合体（３０）及び押圧腕（４０）から構成されたホッチキスの構造において、
該支持台（２０）は、針（２５）を収容し、該底台（１０）の底フレーム（１１）の後端に設けられた第一通孔（１１１）に後端が枢設され、中央に針レール（２２）を具え、該針レール（２２）内に該針（２５）を前方に押圧する伸縮バネ（２３）及び針押出台（２４）が設けられ、該針レール（２２）前端の底部には針出口（２７）が開設され、該底フレーム（１１）上に該支持台（２０）を弾性支持する弾性体（２８）が設置され、
該掛合体（３０）は、前端に針押出片（３３）が結合され、該支持台（２０）に嵌合され、該底台（１０）の該底フレーム（１１）の前端に設けられた第三通孔（１１３）に中段部分が枢接され、該掛合体（３０）後方に、後端に外側に突出する凸部（３５）を有する支持板（３２）が延伸形成され、
該押圧腕（４０）は該支持台（２０）に嵌合され、該底台（１０）の該底フレーム（１１）の略中央に設けられた第二通孔（１１２）に枢設され、該押圧腕（４０）の後方に結合溝（４５）を具えた結合板（４３）が延伸形成され、該掛合体（３０）の該凸部（３５）が該結合溝（４５）内に摺動可能に組み合わされ、
該底フレーム（１１）の第二通孔（１１２）までの距離（Ｗ）及び、該掛合体（３０）の該底フレーム（１１）の該第三通孔（１１３）との枢接位置から該掛合体（３０）の該凸部（３５）までの距離（Ｙ）の乗積（Ｗ×Ｙ）が、該押圧腕（４０）と該底フレーム（１１）の第二通孔（１１２）との枢設位置から該掛合体（３０）の該凸部（３５）までの距離（Ｘ）と、該掛合体（３０）と該底フレーム（１１）の第三通孔（１１３）との枢設位置から該掛合体（３０）の該針押出片（３３）までの距離（Ｚ）の乗積（Ｘ×Ｚ）より大きく、該押圧腕（４０）が押圧されるとき、該押圧腕（４０）が該掛合体（３０）を駆動し回転させ、該掛合体（３０）が該針押出片（３３）で該針（２５）を押し出すことを特徴とする、ホッチキスの構造としている。
請求項２の発明は、請求項１記載のホッチキスの構造において、前記底台（１０）は、長方形平板状の台体で、その後端に上向き開口のＵ形の底フレームが設置され、該底フレームの両側壁の開口端縁の後端に第一通孔（１１１）が、略中央に第二通孔（１１２）が、前端に第三通孔（１１３）が順に設置され、前端には針受板が結合されたことを特徴とするホッチキスの構造としている。
請求項３の発明は、請求項１記載のホッチキスの構造において、前記支持台（２０）は、前端上方に、針押出片（３３）の差込溝（３３１）に摺動可能に係合される掛合凸部（２６）を具えたことを特徴とするホッチキスの構造としている。
請求項４の発明は、請求項１記載のホッチキスの構造において、前記掛合体（３０）は、下向き開口を有するＵ形の嵌合押圧部（３１）を具え、該支持台（２０）の上方に位置し、両側板後端より対称に該支持板が延伸され、前端には針押出片（３３）が結合され、該嵌合押圧部（３１）と該支持板（３２）の間の位置に穿孔（３４）を設置し、且つ該支持板（３２）の後端側辺には各々外向きに突出する凸部（３５）を具え、該穿孔（３４）はピンで該底台（１０）の該底フレーム（１１）の第三通孔（１１３）に枢設され、該掛合体（３０）前端と該支持台（２０）前端の間には上端で該掛合体（３０）を弾性支持する弾性体（３７）が設置されたことを特徴とするホッチキスの構造としている。
請求項５の発明は、請求項１記載のホッチキスの構造において、前記押圧腕（４０）は、該掛合体（３０）の上方に位置し、それは下向き開口を具えたＵ形の押圧部（４１）を具え、その両側板後端より対称な結合板（４３）が延伸され、該押圧部（４１）両側板後端位置に、それぞれ結合孔（４４）が設置され、且つ該結合板（４３）の後端には結合溝（４５）が形成され、該結合孔（４４）はピン（４６）で該底台（１０）の該底フレーム（１１）の該第二通孔（１１２）に枢設され、且つ該掛合体（３０）の該凸部（３５）が該結合溝（４５）内に摺動可能に結合されることを特徴とする、ホッチキスの構造としている。
請求項６の発明は、請求項４もしくは請求項５記載のホッチキスの構造において、前記掛合体（３０）の該穿孔（３４）と該底台（１０）の該底フレーム（１１）の第三通孔（１１３）を枢設するピン（３６）は、その両側が該掛合体（３０）の両側板の穿孔（３４）より外向きに突出し、該押圧腕（４０）二側板の下方に凹部（４２）が形成され、該押圧腕（４０）が押圧された時に、該凹部（４２）が該穿孔（３４）より突出するピン（３６）上で停止することを特徴とするホッチキスの構造としている。
【発明の効果】
【０００７】
本発明はホッチキスの押圧腕が下方向へ作動する時、部品の力のモーメントの変換、伝達により、掛合体が緩やかで最大の押圧力を生み出し、針押出片によって針を押し出し、紙を装丁する。ホッチキスは省力押圧設計で、使用者がスムーズに押圧腕を下へ押し、強い力を必要とせずに、軽々と装丁作業を行え、操作が簡易である。
【発明を実施するための最良の形態】
【０００８】
図１〜図３に示すのは、本発明のホッチキスの構造表示図であり、底台１０、支持台２０、掛合体３０、押圧腕４０を含む。
そのうち、底台１０は、長方形平板状の台座で、その一端に上向き開口を有するＵ字型の底フレーム１１が設置され、該フレーム体の両側壁に、互いに対向する第一通孔１１１、互いに対向する第二通孔１１２、互いに対向する第３通孔１１３が該開口に沿って該一端から別端の方向に順に設置され、該底台１０の別端には針受板１２が設置される。
支持台２０は、全体が細長溝形を呈し、その末端は固定ピン２１で、該底台１０に設置された該底フレーム１１の該第一通孔１１１に枢設される。該支持台２０は中央に針レール２２を具え、該針レール２２内に伸縮バネ２３及び針押出台２４が設置され針２５を押す。また支持台２０前端上方に掛合凸部２６が成形され、且つ針レール２２前端の底部には針出口２７が設置され、支持台２０と底フレーム１１の間には最上部で該支持台２０を支える弾性体２８を納置する。
【０００９】
掛合体３０は、支持台２０の上方に位置し、開口が下向きのＵ形の嵌合押圧部３１を包含する。該嵌合押圧部３１の両側板末端より水平に一対の対称な支持板３２が伸びる。該嵌合押圧部３１の前端に針押出片３３が結合され、該嵌合押圧部３１の両側壁に対向する穿孔３４が設けられる。且つ支持板３２の末端の両側壁に、各々外向きに突出する凸部３５が形成される。この穿孔３４がピン３６で底台１０の底フレーム１１の第三通孔１１３に枢設され、枢設点“ｄ”を形成し、且つピン３６が掛合体３０両側面から突出する。掛合体３０と支持台２０の間には最上部で掛合体３０を支える弾性体３７が収容され、更に針押出片３３の差込溝３３１に掛合凸部２６が摺動自在に係合され、針押出片３３が支持台２０の針出口２７上方の針に対応して作動するものとされる。
【００１０】
押圧腕４０は、掛合体３０の上方に位置し、下向き開口を有するＵ形の押圧部４１を有し、その両側板下方に凹部４２が形成される。更に両側板末端より水平に一対の対称な結合板４３が伸び、この押圧部４１と結合板４３の間には対応する結合孔４４が設置される。更にその結合孔４４はピン４６によって底台１０底フレーム１１の第二通孔１１２に枢設され、枢設点“ｂ”を形成する。更に掛合体３０の支持板３２末端の凸部３５は結合溝４５内に摺動可能に係合されて、枢設点“ｃ”を形成する。
【００１１】
以上は本発明の各部品の構造で、上述の部品を順に組み立てる。部品相互の位置関係及び接続関係は、図４のＡ、図５のＢの実施動作表示図に示すとおりである。操作時、装丁したい紙５０を底台１０の針受板１２と支持台２０の針出口２７の間に差し込む。使用者が力点“ａ”すなわち押圧腕４０の押圧部４１の前端を下向きに押圧すると、押圧腕４０は底フレーム１１の第二通孔１１２との枢設点“ｂ”を中心に回転し（力点“ａ”から支点“ｂ”までの距離を“Ｗ”とする）、押圧腕４０末端の結合溝４５はちょうど掛合体３０末端の凸部３５に対して摺動し、且つ同時に掛合体３０は枢設点“ｃ”の凸部３５によって作動し（枢設点“ｂ”から枢設点“ｃ”までの距離を“Ｘ”とする）、掛合体３０を枢設した底フレーム１１の第三通孔１１３を枢設点“ｄ”として回転し、掛合体３０の針押出片３３を下向きに移動する。掛合体３０は弾性体３７によって支持台２０を、底フレーム１１の第一通孔１１１を枢設回転の中心として下向きに回転作動させる。更に支持台２０の針出口２７が紙５０上で停止し、回転を停止する。続けて押圧腕４０の押圧部４１の前端すなわち力点“ａ”に力をかけると、この押圧腕４０の結合板４３の結合溝４５は掛合体３０の凸部３５を摺動させ、動かし、掛合体３０をピン３６設置の第三通孔１１３を枢設点“ｄ”として回転させる（枢設点“ｃ”から枢設点“ｄ”の距離を“Ｙ”とする）。またこの枢設点“ｄ”から掛合体３０の針押出片３３の設置点“ｅ”までの距離を“Ｚ”とする。“Ｗ”、“Ｙ”の乗積が、“Ｘ”、“Ｚ”の乗積より大きい時、押圧腕４０は簡単に力をかけずに掛合体３０を動かし、掛合体３０前端にゆっくりとした、最大の押圧力を生み出す。更に針押出片３３で針２５を針出口２７から押し出し、押圧腕４０の凹部４２がピン３６上で止まり、紙の装丁作業を完成する。こうして本発明のホッチキスは省力押圧機能を達成し、操作が簡易で実用的である。装丁完了後、使用者が手を押圧腕４０の押圧部４１から離して、支持台２０と掛合体３０の間の弾性体３７を回復させることにより、掛合体３０が元の位置に戻り、掛合体３０の回復過程において、支持板３２の凸部３５が押圧腕４０の結合溝４５内で摺動すると共に凸部３５で押圧腕４０を駆動し、押圧腕４０を回復定位させる。更に弾性体２８の弾力回復が支持台２０を元の位置に回復させる。
【００１２】
上述のとおり、本発明のホッチキスの構造は、押圧腕と掛合体、底台の底フレームのモーメントの伝達を転換することにより、掛合した掛合体を作動させてゆっくり、且つ最大の押圧力を生み出し、針押出片で支持台内の針を強力な力で出すことにより、省力化した効果と簡易な操作を得る。
【図面の簡単な説明】
【００１３】
【図１】本発明ホッチキスの立体組立外観表示図である。
【図２】本発明ホッチキスの立体分解表示図である。
【図３】本発明のホッチキスの局部断面表示図である。
【図４】本発明のホッチキスの動作表示図である。
【図５】本発明のホッチキスの動作表示図である。
【図６】公知ホッチキスの構造表示図である。
【符号の説明】
【００１４】
１０        底台
１１        底フレーム
１１１        第一通孔
１１２        第二通孔
１１３        第三通孔
１２        針受板
２０        支持台
２１        固定ピン
２２        針レール
２３        伸縮バネ
２４        針押出台
２５        針
２６        掛合凸部
２７        針出口
２８        弾性体
３０        掛合体
３１        嵌合押圧部
３２        支持板
３３        針押出片
３３１        差込溝
３４        穿孔
３５        凸部
３６        ピン
３７        弾性体
４０        押圧腕
４１        押圧部
４２        凹部
４３        結合板
４４        結合孔
４５        結合溝
４６        ピン
５０        紙
６０        ホッチキス
６１        底台
６１１        針受板
６２        支持台
６３        押圧腕
６３１        掛合片
６３２        針押出片
６４        定位連接棒
６５        針押出板
６５１        掛着片
６６        バネ
６７        針
６８        牽引片
【図１】
0004484889.tif 000002
【図２】
0004484889.tif 000003
【図３】
0004484889.tif 000004
【図４】
0004484889.tif 000005
【図５】
0004484889.tif 000006
【図６】
0004484889.tif 000007